(57)【要約】【課題】良好な施工性が得られると共にコストが低減され、かつ間仕切りパネルの反りを抑制できる間仕切りユニット、及びこの間仕切りユニットを用いた間仕切り構造を提供する。【解決手段】建物の内部空間を仕切る間仕切りパネル部材２と、間仕切りパネル部材２の裏面２ａに沿って当該間仕切りパネル部材２と間隔をおいて固定され、当該間仕切りパネル部材２を補強するリブ部材３との間に、弾性変形していない状態で挟持された弾性部材４を設ける。これにより、両部材２、３間に掛かる力を緩和し、間仕切りパネル部材２の反りを抑制する。【選択図】図３
2019143466.tif 000002
【特許請求の範囲】
【請求項１】
建物の内部空間を仕切る間仕切りパネル部材と、
前記間仕切りパネル部材の裏面に沿って当該間仕切りパネル部材と間隔をおいて固定され、当該間仕切りパネル部材を補強するリブ部材と、
前記間仕切りパネル部材と前記リブ部材との間に、弾性変形していない状態で挟持された弾性部材と、を備え、
前記弾性部材によって前記両部材間に掛かる力が緩和されている間仕切りユニット。
【請求項２】
建物の内部空間に横方向に並べられた複数の間仕切りユニットと、
床面に固定され、前記複数の間仕切りユニットの下部を支持する下部ランナーと、
天井面に固定され、前記複数の間仕切りユニットの上部を支持する上部ランナーと、を備えた間仕切り構造であって、
前記各間仕切りユニットが、
建物の内部空間を仕切る間仕切りパネル部材と、
前記間仕切りパネル部材の裏面に沿って当該間仕切りパネル部材と間隔をおいて固定され、当該間仕切りパネル部材を補強するリブ部材と、
前記間仕切りパネル部材と前記リブ部材との間に、弾性変形していない状態で挟持された弾性部材と、を備え、
前記弾性部材によって前記両部材間に掛かる力が緩和されている間仕切り構造。
【請求項３】
前記複数の間仕切りユニットのうち隣り合う２つの間仕切りユニットの前記間仕切りパネル部材の目地部を跨ぐように取り付けられて、当該目地部の段差を矯正する矯正プレートを更に備える請求項２に記載の間仕切り構造。
【請求項４】
前記各間仕切りユニットのリブ部材の上端と、天井面と、が間隔を空けた状態とされ、かつ当該リブ部材の下端と、床面と、が間隔を空けた状態とされている請求項２に記載の間仕切り構造。
【請求項５】
前記各間仕切りユニットの下部は前記下部ランナーに固定されると共に、当該各間仕切りユニットの上部は前記上部ランナーに嵌め込まれた状態とされている請求項２に記載の間仕切り構造。
【発明の詳細な説明】
【技術分野】
【０００１】
本発明は、建物の内部空間を仕切るための乾式の間仕切りユニット及び、この間仕切りユニットを用いた間仕切り構造に関し、特に施工性、遮音性、耐火性に優れた間仕切りユニット及び、間仕切り構造に関するものである。
【背景技術】
【０００２】
従来、ＲＣ造やＳＲＣ造の湿式の構造物が多く建築されているが、このようなコンクリートを用いる構造では、遮音性、耐火性に優れるものの型枠工事が必須であり、多大なコストを要する。このため工期短縮及びコストダウンを目的として、集合住宅やホテルなどで、隣り合う居住空間を区画するための乾式の間仕切りパネルが多く用いられている。
【０００３】
乾式の間仕切り構造として次のものが知られている。上下のスラブ面（天井面、床面）に取り付けられた上下のランナーに、金属製のスタッド（間柱）を取り付け、その両面に間仕切りパネルを貼り付けた構造が知られている。このような構造として、特許文献１には、天井面及び床面に敷設された幅広のランナーに、スタッドを交互に配置して、そこに間仕切りパネルを取り付けたものが記載されている。
【０００４】
特許文献２には、平板に中空の補強部を一体的に形成した間仕切りパネルが記載されている。特許文献３の構造では、間仕切りパネルの裏面に予め補強材を固定し、補強材側を内側にした状態で、上下スラブに固定している。
【０００５】
特許文献４には、間仕切りパネルの裏面に補強リブ材を固定した構造が記載されている。特許文献５の構造では、間仕切りパネルの裏面両端部に補強リブ材を固定すると共に、この補強リブ材を介して係止部を取り付け、背面同士を対抗させた４つの間仕切りパネルのコーナー部を互いに連結している。
【先行技術文献】
【特許文献】
【０００６】
【特許文献１】実開昭６０−１６２６０７号公報
【特許文献２】実開昭５４−０４９１１２号公報
【特許文献３】特開昭６０−００５９４１号公報
【特許文献４】特開平０７−２０７７８４号公報
【特許文献５】特開平０１−０９８８０９号公報
【発明の概要】
【発明が解決しようとする課題】
【０００７】
特許文献１の構造では、金属製のスタッドを取り付けるための多くの手間がかかり、施工性が低い。スタッドを取り付ける工程がないものとして、例えば特許文献２の構造が挙げられるが、平板と中空の補強部が一体的に形成された間仕切りパネルを用いるため、平板も強度を必要とする補強部と同じ材質となりコストアップとなる。
【０００８】
特許文献３及び特許文献４の構造では、間仕切りパネルと補強材の材質が異なり、これらの伸縮率の違いによって、間仕切りパネルに反りが生じるおそれがある。そのため、目地部に段差が発生することや、目地部が開いてしまうといった問題がある。この現象を防ぐため、目地部を跨ぐようにビスを打って表面同士を揃える方法もあるが、施工性が低くなる。
【０００９】
背面同士を対抗させた４つの間仕切りパネルのコーナー部を互いに連結する特許文献５の構造では、間仕切りパネルは比較的、強固に固定されるため、目地部の段差や開きは生じにくい。しかし多くの専用金具が必要となる上、施工現場での作業量が多くなり、多大なコストと低い施工性を招くことになる。
【００１０】
本発明は従来技術の問題点に鑑み、良好な施工性が得られると共にコストが低減され、かつ間仕切りパネルの反りを抑制できる間仕切りユニット、及びこの間仕切りユニットを用いた間仕切り構造を提供することを目的とする。
【課題を解決するための手段】
【００１１】
本発明の間仕切りユニットは、建物の内部空間を仕切る間仕切りパネル部材と、前記間仕切りパネル部材の裏面に沿って当該間仕切りパネル部材と間隔をおいて固定され、当該間仕切りパネル部材を補強するリブ部材と、前記間仕切りパネル部材と前記リブ部材との間に、弾性変形していない状態で挟持された弾性部材と、を備え、前記弾性部材によって前記両部材間に掛かる力が緩和されているものである。
【００１２】
本発明の間仕切りユニットは、間仕切りパネル部材と、間仕切りパネル部材を補強するリブ部材と、間仕切りパネル部材とリブ部材との間に挟持された弾性部材とで構成されている。金属製のスタッドを予め施工する必要がないため、手間がかからず施工性が高い。間仕切りパネル部材とリブ部材をそれぞれの材料特性（間仕切りパネル部材として必要とする強度、リブ部材として必要とする強度）を活かした異なる材質にすることができ、コストアップとならない。間仕切りパネル部材とリブ部材との間に固定された弾性部材が弾性変形していない状態で挟持されて、両部材間に掛かる力が緩和されているため、両部材の伸縮率の違いによる反りを抑制できる。そのため目地部の段差の発生や、目地部が開く現象を防ぐための作業が不要となり、施工性を向上させることができる。さらに、間仕切る部分に、間仕切りパネル部材及びこれを補強するリブ部材、を有する間仕切りユニットを取り付けるだけで良いので、施工現場での作業量が少なくなり、コストを低減することができる。
【００１３】
本発明の間仕切り構造は、建物の内部空間に横方向に並べられた複数の間仕切りユニットと、床面に固定され、前記複数の間仕切りユニットの下部を支持する下部ランナーと、天井面に固定され、前記複数の間仕切りユニットの上部を支持する上部ランナーと、を備えた間仕切り構造であって、前記各間仕切りユニットが、建物の内部空間を仕切る間仕切りパネル部材と、前記間仕切りパネル部材の裏面に沿って当該間仕切りパネル部材と間隔をおいて固定され、当該間仕切りパネル部材を補強するリブ部材と、前記間仕切りパネル部材と前記リブ部材との間に、弾性変形していない状態で挟持された弾性部材と、を備え、前記弾性部材によって前記両部材間に掛かる力が緩和されているものである。
【００１４】
本発明の間仕切り構造が備える間仕切りユニットは、間仕切りパネル部材と、間仕切りパネル部材を補強するリブ部材と、間仕切りパネル部材とリブ部材との間に挟持された弾性部材とで構成されている。金属製のスタッドを予め施工する必要がないため、手間がかからず施工性が高い。間仕切りパネル部材とリブ部材をそれぞれの材料特性を活かした異なる材質にすることができ、コストアップとならない。間仕切りパネル部材とリブ部材との間に固定された弾性部材が弾性変形していない状態で挟持されて、両部材間に掛かる力が緩和されているため、両部材の伸縮率の違いによる反りを抑制できる。そのため目地部の段差の発生や、目地部が開く現象を防ぐための作業が不要となり、施工性を向上させることができる。さらに、間仕切る部分に、間仕切りパネル部材及びこれを補強するリブ部材、を有する間仕切りユニットを取りつけるだけで良いので、施工現場での作業量が少なくなり、コストも低減することができる。
【００１５】
前記複数の間仕切りユニットのうち隣り合う２つの間仕切りユニットの前記間仕切りパネル部材の目地部を跨ぐように取り付けられて、当該目地部の段差を矯正する矯正プレートを更に備えることが好ましい。この場合、目地部を跨ぐようにビスを打って表面同士を揃える手法をとらなくても、目地部の段差の発生を防止することができる。
【００１６】
前記各間仕切りユニットのリブ部材の上端と、天井面と、が間隔を空けた状態とされ、かつ当該リブ部材の下端と、床面と、が間隔を空けた状態とされていることが好ましい。この場合、隣り合う居住空間における振動や熱の伝搬の抑制効果をさらに向上させることができる。
【００１７】
前記各間仕切りユニットの下部は前記下部ランナーに固定されると共に、当該各間仕切りユニットの上部は前記上部ランナーに嵌め込まれた状態とされていることが好ましい。この場合、例えばリブ部材を上部ランナーに嵌め込むだけで簡単に取り付けることができ、施工性が格段に向上する。これによりコストを低減できる。上部ランナーにリブ部材が完全には固定されておらず、層間変位時に間仕切りユニットが変位に追従し易くなるので、耐震性も向上させることができる。
【発明の効果】
【００１８】
本発明のとおり、金属製のスタッドを予め施工する必要がないため施工性が高い。間仕切りパネル部材とリブ部材をそれぞれの材料特性を活かした異なる材質にすることができコストアップとならない。間仕切りパネル部材とリブ部材との間に掛かる力が緩和されて、両部材の伸縮率の違いによる反りを抑制でき、反りを防ぐ作業が不要となるため、高い施工性が得られる。間仕切る部分に、間仕切りパネル部材及びこれを補強するリブ部材、を有する間仕切りユニットを取りつけるだけで良いので、施工現場での作業量が少なくなり、コストも低減することができる。更に、隣り合う居住空間における振動や熱の伝搬を効果的に抑制できるとともに、耐震性にも優れた構造とすることができる。
【図面の簡単な説明】
【００１９】
【図１】本発明の一実施形態に係る間仕切りユニットを表面側と裏面側から見た斜視図である。
【図２】間仕切りユニットの一部断面図である。
【図３】間仕切りユニットを用いた間仕切り構造の一部斜視図である。
【図４】図３に示す間仕切り構造の縦断面図である。
【図５】図３に示す間仕切り構造の横断面図であるである。
【図６】矯正プレートを取り付けた間仕切り構造の一部断面図と矯正プレートの斜視図である。
【図７】リブ部材の変形例を示す断面図である。
【図８】断面コ型又はＣ型のリブ部材を用いる場合の説明図である。
【図９】本実施形態の上部アンカーとその周辺、及びその変形例を示す断面図である。
【図１０】（ａ）は他の実施形態に係る間仕切りユニットを裏面側から見た斜視図であり、（ｂ）は矯正プレートの変形例である。
【発明を実施するための形態】
【００２０】
本発明の実施形態について図面を参照して説明する。図１は本発明の一実施形態に係る間仕切りユニット１を表面側と裏面側から見た斜視図であり、図２は間仕切りユニット１の一部断面図である。本実施形態の間仕切りユニット１は、建物の内部空間を仕切る間仕切りパネル部材２と、間仕切りパネル部材２を補強するリブ部材３と、間仕切りパネル部材２とリブ部材３との間に設けられた弾性部材４と、これらを互いに固定する固定手段５とを備えている。
【００２１】
本実施形態の間仕切りパネル部材２は、図示のように正面視長方形状に形成された板材である。間仕切りパネル部材２の形状、寸法は限定されないが、施工場所の大きさに合わせて割り付けた形状、寸法に設定される。間仕切りパネル部材２を形成する材料は、建物の仕切りとして使用できる不燃性のものであれば限定されず、例えば厚みが３〜１５ｍｍ程度のセメント系のフレキシブルボード、石膏ボード、ケイ酸カルシウム板、中質繊維板、パーティクルボード、木質系合板、硬質繊維板、鋼板などが挙げられる。
【００２２】
間仕切りパネル部材２として無機系の材料を選択する場合の比重は０．５〜１．８ｇ／ｃｍ３程度のものが好適である。一般的な集合住宅の階高を考慮した場合の間仕切りパネル部材２の最大長さは３０００ｍｍ程度とされるが、このサイズのものを小端建てした際に、１．３ｇ／ｃｍ３以上の比重のものを用いれば曲がらないようにすることができる。また１．８ｇ／ｃｍ３以下の比重のものを用いることで、重量が大きくなり過ぎるのを防ぐことができる。
【００２３】
更に無機質系の材料の場合は、セメント、炭酸カルシウム、パルプを主成分として抄造した比重１．５〜１．７ｇ／ｃｍ３、曲げ強度１７〜２３Ｎ／ｃｍ２、伸縮率０．０５〜０．１２％のセメント系フレキシブルボードが好適である。この配合と物性のものを用いることで、遮音性、耐火性、反り抑制に高い効果を得ることができる。更に石膏ボードをエアタッカーやネジ打ち機を用いてステイプルやネジで取り付ける際にも、間仕切りパネル部材２の割れや裏面側の剥離を防止することができる。
【００２４】
リブ部材３は、間仕切りパネル部材２の裏面２ａに沿って当該間仕切りパネル部材２と間隔を空けて取り付けられている。間仕切りパネル部材２の両端部の縦方向に沿って、それぞれ１つずつのリブ部材３が取り付けられている。本実施形態のリブ部材３は断面矩形状に形成された薄板の鋼材からなる。リブ部材３は不燃性のものであれば鋼材に限定されず、間仕切りパネル部材２の補強効果を発揮でき、間仕切り壁とした際に自立できるものであればよい。リブ部材３を間仕切りパネル部材２と同じ材料で形成してもよい。
【００２５】
間仕切りパネル部材２とリブ部材３に挟持されている弾性部材４は、所要の寸法にカットされたシート状となっている。弾性部材４の寸法、厚みは適宜変更できる。弾性部材４は、弾性変形していない状態で挟持されており、これよって間仕切りパネル部材２とリブ部材３との間に掛かる力を緩和できるようになっている。これにより、間仕切りパネル部材２とリブ部材３の伸縮率の違いによる反りを緩和することができる。
【００２６】
間仕切りパネル部材２とリブ部材３との間に掛かる力が緩和されることで、間仕切りパネル部材２とリブ部材３の伸縮率の差が許容されて、間仕切りパネル部材２の反りを抑制することができる。また、弾性部材４が間仕切りパネル部材２とリブ部材３との間に介在していることで、力の緩和効果だけでなく、遮音効果をも格段に向上させることができる。
【００２７】
このためには弾性部材４を圧縮しないように取り付ける点が重要である。弾性部材４を弾性変形させないような、間仕切りパネル部材２とリブ部材３との間隔は、即ち弾性部材４の厚み分である。従って間仕切りパネル部材２とリブ部材３とは、弾性部材４の厚み分の間隔を空けて取り付けられている。弾性部材４を挟持した状態で間仕切りパネル部材２に、リブ部材３を取り付ける本実施形態の固定手段５には、図示のとおりビス留めが用いられている。
【００２８】
固定手段５は、ビス留めの他、間仕切りパネル部材２とリブ部材３との間隔を保つことができれば、ピン、リベット等どのような形態でもよい。リブ部材３を間仕切りパネル部材２に取り付ける際には、弾性部材４を圧縮しないように、弾性部材と同じ厚みのスレートや塩ビなどの硬質パッキン材を予めリブ部材３と間仕切りパネル部材２との間に挟んでおき、取り付けが完了した後、これを除去すればよい。
【００２９】
固定手段５に接着剤を用いてもよい。この場合、弾性部材４の表裏に接着剤を塗布して、間仕切りパネル部材２と弾性部材４、弾性部材４とリブ部材３を互いに密着させて固定する。接着剤を用いれば、弾性部材４を押す力は作用しないため、確実に圧縮しない状態で取り付けることができる。
【００３０】
弾性部材４を形成する材料として、例えば天然ゴム、合成ゴム、スチレン−ブタジエンゴム、ブタジエンゴム、クロロプレンゴム、ブチルゴム、ニトリルゴム、エチレンプロピレンゴム、クロロスルホン化ポリエチレンゴム、アクリルゴム、ウレタンゴム、シリコンゴム、フッ素ゴム、多硫化ゴム、これらの発泡体などが挙げられる。
【００３１】
弾性部材４の硬度は、タイプＡのデュロメータで２０〜８０が好ましく、より好ましくは３０〜６０である。弾性部材４の硬度を２０以上とすることで、ビス留めの際に弾性部材４が圧縮されにくくなり、高い遮音性を得ることができる。弾性部材４の硬度を８０以下とすることで、弾性部材４に伝わる音の振動が大きくなり過ぎず、高い遮音性を維持することができる。
【００３２】
次に間仕切りユニット１を用いた間仕切り構造１０について説明する。図３は間仕切り構造１０の一部斜視図であり、図４は間仕切り構造１０の縦断面図であり、図５は間仕切り構造１０の横断面図である。図４のように本実施形態の間仕切り構造１０は、建物の内部空間に横方向に並べられた複数の間仕切りユニット１と、床面ｔ１に固定されて、複数の間仕切りユニット１の下部を支持する下部ランナー１１と、天井面ｔ２に固定されて、複数の間仕切りユニット１の上部を支持する上部ランナー１２と備えている。図５のように各間仕切りユニット１の両端部のリブ部材３は、その隣の間仕切りユニット１のリブ部材３に長手方向を沿わせるようにして近接して位置している。
【００３３】
上部ランナー１２及び下部ランナー１１はいずれも図４貫通方向に長いＬ型鋼材である。天井面ｔ２には、一対の上部ランナー１２が、垂直片１２ａに対して水平片１２ｂを内側に向けるようにしてコンクリート用ピン１３で固定されている。床面ｔ１には、一対の下部ランナー１１が垂直片１１ａに対して水平片１１ｂを外側に向けるようにしてコンクリート用ピン１３で固定されている。
【００３４】
間仕切りユニット１は、上部ランナー１２によって外側から支持され、下部ランナー１１によって内側から支持されている。横方向に並べられた一対の複数の間仕切りユニット１、１は、それぞれの裏面２ａ、２ａを互いに対向させて状態で、上部ランナー１２と下部ランナー１１に支持されて取り付けられている。
【００３５】
間仕切りユニット１のリブ部材３の上端と、天井面ｔ２と、が間隔を空けた状態とされ、かつ当該リブ部材３の下端と、床面ｔ１と、が間隔を空けた状態とされている。このため、隣り合う居住空間における振動や熱の伝搬の抑制効果をさらに向上させることができる。
【００３６】
吸音材・断熱材１４が、リブ部材３に取りつけられた図示しないピンによって、裏面を互いに対向させる間仕切りユニット１、１間に挟み込まれるようにして取り付けられている。横方向に並べられた複数の間仕切りユニット１の内側における、リブ部材３の上側の天井面ｔ２との間隔が空けられた箇所には、上部ランナー１２の水平片１２ｂを覆うようにロックウール又はセラミックウール等の不燃材１５が横方向に連続して取り付けられている。横方向に並べられた複数の間仕切りユニット１の内側における、リブ部材３の下側の床面ｔ１との間隔が空けられた箇所にも、ロックウール又はセラミックウール等の不燃材１５が上側と同様に取り付けられている。
【００３７】
図４のように一方（左側）の下部ランナー１１の垂直片１１ａがリブ部材３に内側からビス留めされている。他方（右側）の下部ランナー１１の垂直片１１ａがリブ部材３に外側からビス留めされている。このようなビス留め形態は、間仕切りユニット１の取り付け工程に伴うものであり、適宜変更される。間仕切りパネル部材２の上側及び下側には、シーリング材１６が設けられている。横方向に並ぶ間仕切りユニット１の表面２ｂに石膏ボード１７が取り付けられており、部屋の壁面となっている。このようにして間仕切りユニット１の下部が下部ランナー１１に固定され、それと共に当該間仕切りユニット１の上部は上部ランナー１２に嵌め込まれた状態となっている。
【００３８】
図６は矯正プレート１８を取り付けた間仕切り構造１０の一部断面図と矯正プレート１８の斜視図である。横方向に並ぶ複数の間仕切りユニット１のうち隣り合う２つの間仕切りユニット１の間仕切りパネル部材２の目地部ｍ１の内側を跨ぐように矯正プレート１８が取り付けられている。矯正プレート１８は鋼板からなり、ベースプレート１９と、ベースプレート１９から折り曲げられて形成された固定片２０で構成されている。
【００３９】
ベースプレート１９は、隣り合う間仕切りパネル部材２の目地部ｍ１を跨ぐようにして、間仕切りパネル部材２とリブ部材３に挟まれ、それと共に固定片２０がリブ部材３にビス留めされている。矯正プレート１８を取り付ける箇所及び数は適宜設定される。矯正プレート１８を取り付けることによって、隣り合う間仕切りパネル部材２の表面２ｂが揃うようになり、目地部ｍ１における段差の発生を防ぐことができる。間仕切りパネル部材２に反りが生じようとした場合にも、矯正プレート１８の存在によって、隣り合う間仕切りパネル部材２同士で表面２ｂを揃えようとする力が働き、間仕切りパネル部材２の反りの発生を防止することができる。
【００４０】
矯正プレートは、目地部ｍ１の段差を防止できる形状であればよい。例えば図１０（ａ）に示すように、正面視Ｈ型に形成した矯正プレート２４を横倒しにして、２つの凹部２４ａにそれぞれ、隣り合う間仕切りパネル部材２の弾性部材４を入り込ませてもよい。この形状では、凹部２４ａが弾性部材４を位置させる逃げ部分となり、矯正プレート２４は上下方向に移動しなくなくなる。リブ部材３に取り付けるための固定片は存在せず、ビス留め工程が不要となる。このように、矯正プレートは、矯正するベースプレートが間仕切りパネル部材２とリブ部材３間で保持可能であれば、どのような形状であってもよい。
【００４１】
間仕切りユニット１を用いた間仕切り構造１０は、例えば次のようにして施工される。まず片側（図４左側）の上部ランナー１２及び下部ランナー１１をそれぞれ天井面ｔ２、床面ｔ１に取り付ける。間仕切りユニット１を斜め方向から差し入れるようにして、片側の間仕切りパネル部材２の上部と、リブ部材３の上部との隙間に上部ランナー１２の垂直片１２ａを挿入する。挿入を確認したら、その間仕切りパネル部材２の下部を下部ランナー１１に宛てがい、間仕切りユニット１を床面ｔ１上に直立させる。下部ランナー１１の垂直片１１ａの内側から間仕切りパネル部材２にビス留めする。
【００４２】
間仕切りユニット１の上側の隙間に、上部ランナー１２の水平片１２ｂを覆うように不燃材１５を充填する。同様に、間仕切りユニット１の下側の隙間にも、下部ランナー１１の水平片１１ｂを覆うように不燃材１５を充填する。そして、間仕切りユニット１のリブ部材３に、吸音・断熱材１４を固定するための図示しないピンを取り付け、不燃材１５をそのピンで固定する。
【００４３】
その後、片側（図４右側）の上部ランナー１２及び下部ランナー１１、間仕切りユニット１を右側と同様の手順で取り付ける。横方向に並ぶ複数の間仕切りユニット１を対向させるように取り付け、室内側からビス留めした後、間仕切りパネル部材２の表面２ｂに石膏ボード１７を取り付け、更に壁紙を貼り付けて仕上げる。この施工手順は一例を示したものであり、間仕切りユニット１、間仕切り構造１０の形態に応じて任意に設定できる。
【００４４】
本実施形態の間仕切り構造１０を構成する間仕切りユニット１は、間仕切りパネル部材２と、間仕切りパネル部材２を補強するリブ部材３と、間仕切りパネル部材２とリブ部材３との間に挟持された弾性部材４とを備えている。金属製のスタッドを予め施工する必要がないため、手間がかからず施工性が高い。間仕切りパネル部材２とリブ部材３をそれぞれの材料特性（間仕切りパネル部材２として必要とする強度、リブ部材３として必要とする強度）を活かした異なる材質にすることができ、コストアップとならない。
【００４５】
間仕切りパネル部材２とリブ部材３との間に挟まれた弾性部材４が弾性変形していない状態で挟持されて、両部材２、３間に掛かる力が緩和されているため、両部材２、３の伸縮率の違いによる反りを抑制できる。そのため目地部ｍ１に大きな段差が発生することや、目地部ｍ１が開いてしまうといった現象を防ぐための作業が不要となり、施工性を向上させることができる。さらに、間仕切り部分に、間仕切りパネル部材２及びこれを補強するリブ部材３、を有する間仕切りユニット１を取りつけるだけで良いので、施工現場での作業業量が少なくなり、コストを低減することができる。
【００４６】
更に、間仕切りユニット１のリブ部材３が上部ランナー１２に完全には固定されず、間仕切りユニット１の上部が上部ランナー１２に単に嵌め込まれた状態となっているので、リブ部材３を上部ランナー１２に嵌め込むだけで簡単に取り付けることができ、施工性が格段に向上する。これによりコストを低減できる。上部ランナー１２にリブ部材３が完全には固定されておらず、層間変位時に間仕切りユニット１が変位に追従し易くなるので、耐震性も向上させることができる。
【００４７】
本発明は上記実施形態に限定されず、間仕切りパネル部材及びリブ部材の形状、寸法、取り付け方法等は、建物の内部空間を仕切る仕様に応じて適宜変更できる。図７はリブ部材３の変形例を示す断面図である。図示のようにリブ部材３を、断面コ型、Ｌ型、Ｃ型、円型、三角型、多角型としてもよい。
【００４８】
断面コ型又はＣ型のリブ部材を用いる場合には、図８に示すように間仕切りパネル部材２に、２つのリブ部材３、３の開口部３ａ、３ａが互いに向かい合うように当該両リブ部材３、３を取りつける。そして、２つのリブ部材３、３の間に断熱材１４を取りつける構成としても良い。この場合、現場で断熱材１４を取り付ける手間が省けるので、施工性を更に向上することができる。
【００４９】
リブ部材の取り付け位置は、矯正プレートを取り付け可能であれば任意に設定できる。上部ランナーの形状を例えば図９の中央図のように、コ型の上部ランナー２１にすることや、図９の右図のように上部アンカーとしてＬ型アングル２２を用いてもよい。下部アンカーの形状も同様である。上記実施形態ではリブ部材を鉛直方向に向けて取り付けているが、図１０（ｂ）のように、リブ部材２６をより長く形成して、これを間仕切りパネル部材２に対して斜め方向に向けて取り付けてもよい。リブ部材２６を斜め方向に取り付ければ、取り付け本数が少なくなり施工性が向上する。
【００５０】
本発明に係る間仕切りユニット、及びこの間仕切りユニットを用いた間仕切り構造は、特許請求の範囲に記載した技術的範囲において変更可能である。間仕切りユニットを用いた間仕切り構造に、必要に応じて設けられる他の部材は本発明の効果を損なわない限りにおいてどのような形態のものであってもよい。
【符号の説明】
【００５１】
１  間仕切りユニット
２  間仕切りパネル部材
２ａ  裏面
２ｂ  表面
３、２６  リブ部材
４  弾性部材
５  固定手段
１０  間仕切り構造
１１  下部ランナー
１２  上部ランナー
１３  用ピン  
１４  吸音材・断熱材
１５  不燃材
１６  シーリング材
１７  石膏ボード
１８、２４  矯正プレート
１９  ベースプレート
２０  固定片
２１  上部ランナー
２２  Ｌ型アングル
ｍ１  目地部
ｔ１  床面
ｔ２  天井面
【図１】
2019143466.tif 000003
【図２】
2019143466.tif 000004
【図３】
2019143466.tif 000005
【図４】
2019143466.tif 000006
【図５】
2019143466.tif 000007
【図６】
2019143466.tif 000008
【図７】
2019143466.tif 000009
【図８】
2019143466.tif 000010
【図９】
2019143466.tif 000011
【図１０】
2019143466.tif 000012